Podtech/llm-jp-corpus-v4-ja_patent huggingface dataset:
(57)【要約】【課題】  カレンダーボードに逐一書き込む手間を省くこができることが可能な磁気ピースを提供する。【解決手段】  磁気ゴム板の一方の面に目的対象を表すイラスト、文字を描いたシールを貼り付けたことを特徴とする磁気ピースである。【選択図】図１
0003208796.tif 000002
【実用新案登録請求の範囲】
【請求項１】
磁気ゴム板の一方の面に目的対象を表すイラスト、文字を描いたシールを貼り付けたことを特徴とする磁気ピース。
【考案の詳細な説明】
【技術分野】
【０００１】
本考案は磁気ピースに関し、特に磁気ボードに接着可能な磁気ピースに関するものである。
【背景技術】
【０００２】
カレンダー等のカレンダーボードは、通常日にちと曜日が縦横に列記され、その交差した桝に予定をマーカで書き込むようになっている。
【０００３】
また教材としての地図は通常紙製であって、心材に巻き取るようになっている。
【０００４】
特開２００６-１１３４０号公報に、ホワイトボードやスチールボード板面に磁力で貼り付ける磁石保持板が開示されている。
【先行技術文献】
【特許文献】
【０００５】
【特許文献１】特開２００６-１１３４０号公報
【考案の概要】
【考案が解決しようとする課題】
【０００６】
このようなカレンダーボードでは、予定を逐一マーカで書き込む必要があり、次の月になると、一旦書いた文字を消して書き換える必要がある。この作業を繰り返すと、ボード全体が次第によごれて汚れて汚くなる。
【０００７】
特に、介護を要する人の予定、例えばヘルパーの来訪、ディサービスの予定等は本人あるいは介護者にとっても忘れ易い事項であるが、そのような事項を逐一カレンダーボードに書き込むことは非常に手間の掛かる作業である。
【０００８】
また、地図上で特定の国とその国旗を示したいとき、教師はポインタ等で当該特定の国を示し、その国の国旗は別の場所に描かれた図で示すことになる。従って、当該特定の国に場所と国旗が結びつかない難点がある。
【０００９】
特許文献１に開示の表示板は基台の下にマグネットを内蔵する構成となっており、構成が複雑でコスト高となる難点がある。
【００１０】
本考案は上記従来の事情に鑑みて提案されたものであって、カレンダーボードに逐一書き込む手間を省くこができ、また、地図等に上の特定の位置に国旗等を張りつけることが可能な磁気ピースを提供することを目的するものである。
【課題を解決するための手段】
【００１１】
本考案は、磁気ゴム板の一方の面に目的対象を表すイラスト、文字を描いたシールを貼り付けた磁気ピースである。
【考案の効果】
【００１２】
上記の構成により、カレンダーボード上に簡単に予定を貼り付けることができ、また、月替えごとに、ボード表面が汚れないので、写真を撮って保存する場合画像がきれいになる。
【図面の簡単な説明】
【００１３】
【図１】本考案の磁気ピースを示す図。
【図２】本考案の磁気ピースの使用形態を示す図。
【図３】本考案を適用したカレンダ（ボード）の一例を示す図。
【考案を実施するための形態】
【００１４】
図１は本考案に掛かる磁気ピースの一例を示す斜視図である。
【００１５】
磁気ゴム板１０の一方の面に予定等を表すイラストを描いたシール２１を貼り付けた磁気ピース２０を構成しておく。前記予定を表すイラストとしては、例えば病院を表す赤十字マーク、医者あるいは看護師、また、病院であっても、内科、整形外科、歯科、と別けてもよいし、また、整骨院、鍼灸院、旅行、老人クラブ、デイサービス、囲碁、将棋、カラオケ、グランドゴルフ、手芸クラブ等々のイラストの可能性もあり得る。また、イラストに限らず予定対象を表す文字であってもよいし、また、シール２１としては白紙であって、そこにマーカで予定対象をイラストあるいは文字で表すようにしてもよい。
【００１６】
一方で、図２に示すように、磁性材料板、あるいは大判の磁気ゴム板で構成され、表面に日にち枠３１と予定記入枠３２を設けたボード３０を用意しておく。
【００１７】
上記のように用意されたボード３０の予定枠３２にその日の予定に対応する磁気ピース２０を磁性を利用して張り付ける。これによって、毎月の予定は、前記磁気ピースを貼り付けるだけで足りることになり、またイラストで示されているので、老人にもわかり易いカレンダーとなる。
【００１８】
ここで、各種の予定を表すイラスト、文字を書いた磁気ピース２０をボード３０の余白部分に貼り付けておき、必要になったときに所定の予定枠に貼り付けるようにすると便利である。
【００１９】
以上のようにして予定表（ボード）を仕上げた例を例えば図３に示す。
【００２０】
本考案は工場や家庭での日常の予定に対応することができる。特に、介護者の予定は多岐に渡るので、本磁気ピース２０を用いると有効である。例えば、介護会社からヘルパーが来る予定であっても、生活介護、身体介護等に分けて磁気ピース２０を作ることができる。また、ディサービスに行く場合と迎えに行く場合にそれぞれ区別のできる磁気ピース２０を作ることができる。
【００２１】
さらに、ボード３０が汚れないので写真を撮ってもきれいな画像を得ることができ、月替えごとに写真を撮っておくと、介護会社の訪問記録等々の管理の照合ができる。これにより、予定ばかりでなく、介護会社からの請求等につき、適正なチェックが可能となる。
【００２２】
上記のボード３０はカレンダーとして使用できるボード３０だけでなく教育用に使用する例えば地図を描いたボードとすることができる。
【００２３】
例えば、前記磁気ピースとして国に対応する国旗を描いたシール２１を貼り付けた磁気ピース２０を用意し、一方、世界地図を大判のボード３０に貼り付けた状態を教室の所定の場所に掲げる。この状態で磁気ピース２０を対応する国の場所に教師が置く、あるいは生徒に置かせることで、地理の授業に用いることができる。
【００２４】
上記において、ボード側か磁気ピース側のいずれか、あるいは両方が永久磁石として作用すれば足り、双方が磁気的に接着すれば足りる。
【産業上の利用可能性】
【００２５】
以上説明したように、本考案はマーカ等で記入することなく簡単に予定表が作れ、また、目的とする国等を示すことができるので、教育現場にも使用することができる。
【符号の説明】
【００２６】
１０・・磁気ゴム板
２０・・磁気ピース
２１・・シール
３０・・ボード
３１・・日にち枠
３２・・予定記入枠
【図１】
0003208796.tif 000003
【図２】
0003208796.tif 000004
【図３】
0003208796.tif 000005
(57)【要約】      （修正有）【課題】スーツの上衣の裾であるベンツ（スリット）部分が跳ねたり、シワになったりすることを防止し、上衣の裾を安定させるスーツの上衣を提供する。【解決手段】スーツを縫製する際に、上衣の裾であるベンツ１（スリット）部分の先にコイン２を入れ、重りの役割をさせることで上衣の裾が安定し、ベンツ１の収まりがよくなる。生地の跳ねやシワの防止にも役立ち、またそれらの回復も早くなる。【選択図】図１
0003208701.tif 000002
【実用新案登録請求の範囲】
【請求項１】
スーツを縫製する際に、上衣の裾であるベンツ（スリット）部分にコインを入れ、上衣の裾を安定させる縫製方法。
【考案の詳細な説明】
【技術分野】
【０００１】  本考案は、スーツの上衣の裾であるベンツ（スリット）部分の先にコインを入れた縫製方法である。
【背景技術】
【０００２】  上衣の裾であるベンツ（スリット）部分は、縫製上特になにもしていない、もしくはチェーンなどをつけるなどした工夫があった。
【考案の概要】
【考案が解決しようとする課題】
【０００３】  ベンツ（スリット）部分に何も施さない場合、ベンツが開いてしまったり、裾の生地がはねたり、シワになったりしやすくなる。
【課題を解決するための手段】
【０００４】  スーツを縫製する際に、上衣の裾であるベンツ（スリット）部分の先にコインを入れ、重りの役割をさせることで上衣の裾が安定し、問題点を解決している。
【考案の効果】
【０００５】  上述のように、本考案の縫製技術は、スーツの上衣の裾のベンツ（スリット）部分の先にコインを入れることによって、重みが加わり、ベンツが安定しベンツの収まりがよくなる。またシワの防止や裾はね防止にもなり、それらの回復も早くなるという効果がある。
【図面の簡単な説明】
【０００６】
【図１】本考案の、スーツの上衣のセンターベンツにコインを入れる縫製の実施例を示す正面図である。
【図２】本考案の、スーツの上衣のサイドベンツにコインを入れる縫製の実施例を示す正面図である。
【考案を実施するための形態】
【０００７】  自社と提携している縫製工場に依頼をし、生地と共にコインを持ち込み縫製する。
【符号の説明】
【０００８】  １  ベンツ
２  コイン
【図１】
0003208701.tif 000003
【図２】
0003208701.tif 000004
【手続補正書】
【提出日】平成28年10月31日(2016.10.31)
【手続補正１】
【補正対象書類名】実用新案登録請求の範囲
【補正対象項目名】全文
【補正方法】変更
【補正の内容】
【実用新案登録請求の範囲】
【請求項１】
スーツを縫製する際に、上衣の裾であるベンツ（スリット）部分にコインを入れ、上衣の裾を安定させることを特徴とするスーツの上衣。
(57)【要約】      （修正有）【課題】ワイヤーメッシュ鉄筋を用いるコンクリート打設作業において、既設のワイヤーメッシュ鉄筋の位置を変更する際に、立ち姿勢で容易に行う事が出来るフックを提供する。【解決手段】フックＡは、全体が金属製であり、棒状の本体１の下端に先端が開いた二股形状の係止部２と、本体１の上端に取手部３とを設け、係止部２の先端に下方へ曲折した爪部４を設けることにより、コンクリートを打設して荒均し作業を行った後に係止部２をコンクリート内のワイヤーメッシュ鉄筋の隙間に差し込み、爪部４をワイヤーメッシュ鉄筋の下からワイヤーメッシュ鉄筋に引っ掛けた後、取手部３を引き上げることにより、沈んだワイヤーメッシュ鉄筋をコンクリ厚の所定位置まで引き上げることができる。【選択図】図１
0003208708.tif 000002
【実用新案登録請求の範囲】
【請求項１】
全体が金属製であり、棒状の本体の下端に先端が開いた二股形状の係止部と、前記本体の上端に取手部とを設け、前記係止部の先端に下方へ曲折した爪部を設けることを特徴とするワイヤーメッシュ鉄筋用フック。
【請求項２】
前記本体の上方であって前記取手部の近傍個所に、ベルトなどに係止可能な握りハンドル兼用のハンガー部を設けることを特徴とする請求項１に記載したワイヤーメッシュ鉄筋用フック。
【考案の詳細な説明】
【技術分野】
【０００１】  本考案は、左官や土木工事などのコンクリート打設作業において使用されるワイヤーメッシュ鉄筋を、所定位置に調整する時に使用することができるワイヤーメッシュ鉄筋用フックに関するものである。
【背景技術】
【０００２】  コンクリート打設作業後に、コンクリートの上面ひび割れの発生や進行を抑制して、コンクリートが脆性破壊することを回避できるように、格子状のワイヤーメッシュ鉄筋（鉄筋コンクリート梁）を使用することが知られている（例えば、特許文献１参照）。
【先行技術文献】
【特許文献】
【０００３】
【特許文献１】  特開２００５−０８３１２２号公報
【考案の概要】
【考案が解決しようとする課題】
【０００４】  斯かるワイヤーメッシュ鉄筋を用いるコンクリート打設作業では、ワイヤーメッシュ鉄筋がコンクリートの中で所定位置に留まるようにスペーサーで浮かせてからコンクリートを打設しているが、コンクリート搬入時の振動などによりスペーサーから外れて沈んだ状態になる場合も多く、中小規模工事では、スペーサーを使用せずコンクリートを流し込むこともあり、このような場合にも、ワイヤーメッシュ鉄筋が所定位置からずれてしまう。【０００５】  ワイヤーメッシュ鉄筋が沈んだり、ずれたままの状態では、ワイヤーメッシュ鉄筋の当初の目的や効果を得られない可能性が高いことから、ワイヤーメッシュ鉄筋を所定位置に調整する（上下水平移動）場合、作業者がワイヤーメッシュ鉄筋を踏んで重くならないように爪先立ちの前屈み態勢で行う必要があることから、作業がしにくく、この作業中はコンクリート打設を中断しなければならないため、コンクリート打設作業全体の時間が長くなる問題がある。
【課題を解決するための手段】
【０００６】  本考案は、全体が金属製であり、棒状の本体の下端に先端が開いた二股形状の係止部と、本体の上端に取手部とを設け、係止部の先端に下方へ曲折した爪部を設けることにより、コンクリートを打設して荒均し作業を行った後に係止部をコンクリート内のワイヤーメッシュ鉄筋の隙間に差し込み、爪部をワイヤーメッシュ鉄筋の下からワイヤーメッシュ鉄筋に引っ掛けた後、取手部を引き上げることにより、沈んだワイヤーメッシュ鉄筋をコンクリ厚の所定位置まで引き上げることができる。【０００７】  また、本考案は、本体の上方であって取手部の近傍個所に、ベルトなどに係止可能な握りハンドル兼用のハンガー部を設けることにより、荒均し作業から鏝均しなどの他の作業に移行する際、そのハンガー部を作業者のベルトなどに掛けて携行できることにより、効率良く作業が進められる。
【考案の効果】
【０００８】  作業者は、本考案のメッシュ鉄筋用フックの取手部を握りながら立ち姿勢で手を伸ばすことで、作業者の体重の乗っていない前方のメッシュ鉄筋を引き上げることにより、係止部が二股形状であることからメッシュ鉄筋に加えられる力が分散して、容易にメッシュ鉄筋の位置を変更することができる。【０００９】  なお、敷き詰めたワイヤーメッシュ鉄筋の調整が容易となることから、ワイヤーメッシュ鉄筋の位置を定めるためのスペーサー施工を省くことができ、コンクリート打設作業全体の作業効率向上に寄与することができる。【００１０】  更に、ハンガー部を設けることにより、鏝などとの持ち替え時にワイヤーメッシュ鉄筋用フックを作業者のベルトなどに掛けることができるので、この点においてもコンクリート打設作業全体の作業効率向上に寄与することができる。
【図面の簡単な説明】
【００１１】
【図１】  本考案の実施例の斜視図である。
【考案を実施するための形態】
【００１２】  全体が金属製のワイヤーメッシュ鉄筋用フックであって、本体の下端の係止部の先端の爪部でワイヤーメッシュ鉄筋に引っ掛け、取手部を持ってワイヤーメッシュ鉄筋の位置を変更することができるし、取手部の近傍個所のハンガー部により非使用時には作業者のベルトなどに掛けて携行できる。
【実施例】
【００１３】  以下、本考案の実施例を図面に基づいて説明すると、Ａは、本考案に係るワイヤーメッシュ鉄筋用フックであって、容易に変形しにくい鉄などの金属製である。【００１４】  そのワイヤーメッシュ鉄筋用フックＡは、棒状の本体１の下端に先端が開いたＹ字またはＵ字状（図１ではＹ字状を示している）などの二股形状の係止部２と、本体１の上端に輪状の取手部３とを設け、係止部２の先端に下方へ曲折した爪部４を設けている。【００１５】  斯かる構成により、コンクリート（図示しない）を打設して荒均し作業を行った後（前記コンクリートが固まる前）に係止部２を前記コンクリート内のワイヤーメッシュ鉄筋（図示しない）の隙間に差し込み、爪部４を前記ワイヤーメッシュ鉄筋の下から前記ワイヤーメッシュ鉄筋に引っ掛けた後、取手部３を引き上げることにより、沈んだ前記ワイヤーメッシュ鉄筋を前記コンクリ厚の所定位置まで引き上げることができる。【００１６】  また、本体の上方であって取手部の近傍個所に、ベルトなどに係止可能なＵ字形の握りハンドル兼用のハンガー部５を設けている。【００１７】  斯かる構成により、荒均し作業から鏝均しなどの他の作業に移行する際、そのハンガー部５を作業者のベルトなどに掛けて携行できることから、効率良く作業が進められる。
【符号の説明】
【００１８】Ａ  ワイヤーメッシュ鉄筋用フック
１  本体
２  係止部
３  取手部
４  爪部
５  ハンガー部
【図１】
0003208708.tif 000003
(57)【要約】      （修正有）【課題】まな板を用いて食材を切る際、より効率的に食材を切る事が可能な、まな板を提供する。【解決手段】まな板の１部に切った食材が通る穴３を空けておき、包丁で切った食材を直接すぐに容器に移す事ができる。これまでの様に、食材を切った後、まな板に残っている食材を別の容器に移す手間や作業を省く事が出来、大変効率的な作業が可能となる。【選択図】図１
0003208749.tif 000002
【実用新案登録請求の範囲】
【請求項１】
まな板の１部に穴を空け、そこから直接切った食材が下に落る様にしたまな板。
【考案の詳細な説明】
【技術分野】
【０００１】本考案は、食材を切るまな板に関するものである。
【背景技術】
【０００２】これまでのまな板は、包丁で食材を切った後、その食材を容器に移す際、手でつまんで移したり、包丁で寄せて別の器に移したりする作業が必要です。
【先行技術文献】
【特許文献】
【０００３】
【特許文献１】
【非特許文献】
【０００４】
【非特許文献１】
【考案の概要】
【考案が解決しようとする課題】
【０００５】これまでのまな板は、包丁で食材を切った後に、その食材を容器に移す際、１度に移すことは難しく残った食材は、手でつまんで移したり、包丁で寄せて別の器に移したりする作業が必要です。
その際、１部の食材がまな板に付いたまま、手でつまんで移すのに時間が掛かったりする時もあります。
又、切った食材を別の容器に移す際、落としたりする事も多く、食材の１部を無駄にする事もあります。
【課題を解決するための手段】
【０００６】本考案は、その様な煩わしさを解消する為、まな板の１部に切った食材が通る大きさの穴を開けておきます。
穴の下にその食材を入れる容器をセットする事で、切った食材は直接その穴から下に落ち容器に移す事ができます。
【考案の効果】
【０００７】こうする事で食材を切った後に、そのまますぐに食材を下の容器に移す事が出来、大変効率の良い作業が可能となります。
更に、切った側から食材が下に落ち、まな板の上がすっきりし、切った食材でまな板がいっぱいになる事も無く、すっきりした作業環境も得られます。
【図面の簡単な説明】
【０００８】
【図１】  本考案の平面図である。
【考案を実施するための形態】
【０００９】まな板に空ける穴は特に形は決まっておらず、四角でも丸型でも特に決まりは無い。
切った食材がスムーズに通るだけの幅があれば構わない。
縦横４〜５センチ程度の穴が、まな板の左右どちらかに空けておく。
【実施例】
【００１０】まな板の材料は木でもプラスチックでも何でも構わない。
まな板の一部に切った食材を通る穴を開けるだけの、極めてシンプルな構造である。
又、まな板の横に足を取り付け、まな板の下に簡単に受け皿を置く事ができるようにすると、より使い易くなる。
図１は、まな板に取り付けた足を伸ばした状態の図である。
【符号の説明】
【００１１】１  まな板本体
２  可動式足
３  穴
【図１】
0003208749.tif 000003
(57)【要約】      （修正有）【課題】穴掘り時に側壁の落下を防止できる側壁落下防止金輪を提供する。【解決手段】鉄金１の棒を、「の」字形に加工し、先端の重なった部分をひもでしばり円形を作り、その円形の外側に板を並べることで、側壁落下防止に役立つ。【選択図】図１
0003208730.tif 000002
【実用新案登録請求の範囲】
【請求項１】
１３ｍ／ｍの鉄金の棒をの、の字形に加工し、先端の重なった部分をひもでしばり円形を作ることを特徴とした側壁落下防止金輪。
【考案の詳細な説明】
【技術分野】
【０００１】  本考案は、穴掘り時に側壁落下防止に関するものである。
【背景技術】
【０００２】  穴掘り時に側壁落下防止に治具は殆ど無かった。
【考案の開示】
【考案が解決しようとする課題】
【０００３】  穴掘り時に側壁の落下を防止でき、前途の欠点を解決しようとするものである。
【課題を解決するための手段】
【０００４】  本考案は、鉄金の輪を利用し側壁に板でささえ、土の落下を防止し問題点を解決している。
【考案の効果】
【０００５】  上途の様に、鉄金の輪を利用することで、穴掘り時の側壁落下防止に役立つ。
【考案を実施するための最良の形態】
【０００６】  鉄金の棒をの、の字形に加工し、鉄金の重った部分をひもでしばり固定し、円形の輪を作る。又輪の外側に板を差し込む。
【実施例】
【０００７】  以下、添付図面に従って実施例を説明する。１、の、のの字型に加工した鉄金の、２、の鉄金が重なった部分を、３、のひもでしばり円形を作る。その円形の外側に４、の板を順次差し込むことで、土の落下を防止することを可能にした。【０００８】  本考案の実施例は上途の如き構成からなるものであり、穴掘り時の側壁落下防止に効果がある。
【図面の簡単な説明】
【０００９】
【図１】正面図
【図２】側面図
【図３】実施例図
【符号の説明】
【００１０】    １  鉄金の本体
２  鉄金の重なった部分をしばったひも
３  板を並べた状態
【図１】
0003208730.tif 000003
【図２】
0003208730.tif 000004
【図３】
0003208730.tif 000005
【手続補正書】
【提出日】平成28年11月4日(2016.11.4)
【手続補正１】
【補正対象書類名】実用新案登録請求の範囲
【補正対象項目名】全文
【補正方法】変更
【補正の内容】
【実用新案登録請求の範囲】
【請求項１】
鉄金の棒を、「の」字形に加工し、先端の重なった部分をひもでしばり円形を作ることを特徴とした側壁落下防止金輪。
(57)【要約】      （修正有）【課題】抱っこひもに着用時、日差しや虫などの赤ちゃんに害を為すものから赤ちゃんを保護するために、抱っこひもごと赤ちゃんを覆う保護カバーを提供する。【解決手段】開口部に伸縮性のあるゴム、又は紐が装着されている袋状の本体Ｅを、抱っこひもに装着中の赤ちゃんの上からかぶせ、左右の肩に掛かるベルトにそれぞれ、紐Ａ、Ｂで本体Ｅを留める。赤ちゃんの手足が収まる部分には適切なゆとりがあるため、赤ちゃんの動きを妨げず、本体は赤ちゃんの呼吸が確保でき、虫などが通り抜けられない大きさの織目を持つ布状の素材で構成されており、日差しを遮り、熱気もこもらず、赤ちゃんに快適な環境を提供できる。【選択図】図２
0003208723.tif 000002
【実用新案登録請求の範囲】
【請求項１】
赤ちゃんを装着した抱っこひもを、袋状の保護カバーにて覆い、装着者の左右の肩ベルトに専用の紐で留めることにより、日差しや虫などの赤ちゃんに害を為すものから赤ちゃんを保護せしめる事を特徴とする、抱っこひも用赤ちゃん保護カバー。
【考案の詳細な説明】
【技術分野】
【０００１】      本考案は抱っこひもに装着時の赤ちゃんを、虫や陽射しから守る、布状の覆いに関する。
【背景技術】
【０００２】      古来より日本では、蚊などの虫から就寝中の人体を保護する為、通気性がよく網目の細かい布で製造された蚊帳を吊るし、布団ごと人体を覆って虫から保護することが知られている。【０００３】      また女性は屋外での活動やガーデニングなどの際、強い日差しや虫から肌を保護する為に、長い手袋や腕抜きを着用することがある。【０００４】      また、赤ちゃんを長い手袋や長袖、長ズボンの衣類で日差しや虫から保護することは出来るが、気温の高い夏には不適切であり、熱がこもって赤ちゃんの健康を害する可能性がある。【０００５】      またベビーカーに赤ちゃんを乗せた場合であれば、ベビーカーごと赤ちゃんを覆う布状の保護カバーは存在する。
【先行技術文献】
【特許文献】
【０００６】
【特許文献１】実登３１７４２０４
【特許文献２】特開２００５−０１４８７１
【特許文献３】特開２０１４−２０５９３９
【考案の概要】
【考案が解決しようとする課題】
【０００７】    しかしながら、赤ちゃんを抱っこひもに装着した際に、日差しや虫の被害から赤ちゃんを保護せしめ、熱こもりにより健康を害させない用具が存在しなかった。
【課題を解決するための手段】
【０００９】      上記目的を達成するために、本考案は、抱っこひもに装着時の赤ちゃんを、開口部に伸縮性のあるゴム又は紐が装着された通気性の良い袋状のカバーで、抱っこひもの上から覆い被せることにより、日差しや虫などの赤ちゃんに害を為すものから赤ちゃんを保護せしめ、上記の課題を解決するものである。
【考案の効果】
【００１０】      本考案に係る抱っこひも用赤ちゃん保護カバーは、抱っこひもに装着された赤ちゃんを、虫や日差しによる害を受けないよう保護し、赤ちゃんが快適に過ごせる環境を提供するものである。
【図面の簡単な説明】
【００１１】
【図１】  通気性の良い袋状の布で構成された本体Ｅと、開口部周りに巡らせた、伸縮性のあるゴム、又は紐が中に入る布製のトンネルＤと、抱っこ紐装着者の両肩に掛かる左右のベルトに本体を留めるための紐ＡとＢと、紐ＡとＢを通す為の布製のトンネルＣとで構成された、抱っこひも用赤ちゃん保護カバー。
【図２】  前記図１を抱っこひもに装着させた、抱っこひも用赤ちゃん保護カバー。
【考案を実施するための形態】
【００１２】  以下、本考案の実施の形態を図に基づいて説明する。
【実施例１】
【００１３】  図１は請求項１にて説明する図である。通気性の良い袋状の布で構成された本体Ｅと、開口部周りに巡らせた、伸縮性のあるゴム、又は紐が中に入る布製のトンネルＤと、抱っこ紐装着者の両肩に掛かる左右のベルトに本体を留めるための紐ＡとＢと、紐ＡとＢを通す為の布製のトンネルＣとで構成されている。
【産業上の利用可能性】
【００１４】      山、海、湖、公園など、樹木や草原があり、日差しを遮るものが少ない場所へ出掛けて抱っこひもを使用した場合などに有効である。
【符号の説明】
【００３６】      Ａ  紐
Ｂ  紐
Ｃ  トンネルＣ
Ｄ  トンネルＤ
Ｅ  本体
【図１】
0003208723.tif 000003
【図２】
0003208723.tif 000004
(57)【要約】      （修正有）【課題】家族や介護人の手を借りずに自分自身で着脱が簡単にできるパンツを提供する。【解決手段】パンツ１に腰部左右開閉２〜５と股下部前後開閉６、７を設ける。それによりパンツの着脱時には簡単に足が抜けまた自分自身で出来る様になり家族や介護人の手間や体力の消耗が少なく時間の節約が図られる。更に失禁時は場所を選ばず着脱ができるのでその臭いを気にせず楽しく外出できる。【選択図】図１
0003208729.tif 000002
【実用新案登録請求の範囲】
【請求項１】
男性パンツ（失禁パンツ含む）は股下部前後開閉と腰部左右開閉を有している
“着脱らくらくパンツ”。
【請求項２】
女性パンツ（失禁パンツ含む）は股下部前後開閉と腰部左右開閉を有している
“着脱らくらくパンツ”。
【請求項３】
股下部前後開閉と腰部左右開閉はジッパー（市販品）を有している請求項１記載の
“着脱らくらくパンツ”。
【請求項４】
股下部前後開閉と腰部左右開閉はマジックテープ（市販品）を有している請求項１記載の“着脱らくらくパンツ”。
【請求項５】
股下部前後開閉と腰部左右開閉はホック（市販品）を有している請求項１記載の
“着脱らくらくパンツ”。
【請求項６】
股下部前後開閉と腰部左右開閉はジッパー（市販品）を有している請求項２記載の
“着脱らくらくパンツ”。
【請求項７】
股下部前後開閉と腰部左右開閉はマジックテープ（市販品）を有している請求項２記載の“着脱らくらくパンツ”。
【請求項８】
股下部前後開閉と腰部左右開閉はホック（市販品）を有している請求項２記載の
“着脱らくらくパンツ”。
【考案の詳細な説明】
【技術分野】
【０００１】本考案は、パンツに股下部前後開閉や腰部左右開閉ができ、その開閉は市販されているファスナー・マジックテープ・ホック等を取り付けて行うため着脱が簡単にできる“着脱らくらくパンツ”です。
【背景技術】
【０００２】現在、健康な人でもパンツの着脱時には足元まで下げないと足が抜けない事や用便時に膝まで下げるため腰に負担がかかり更に着脱場所に適当な場所が無かったりする。
また高齢者や介護される人は自分自身で着脱が出来ず介護士や家族の負担が大きくなり更に失禁時の臭いが気になり外出が制限され行動範囲が狭く家庭に閉じこもりがちになっている。
【先行技術文献】
無
【非特殊文献】
無
【考案の概要】
【考案が解決しようとする課題】
【０００３】パンツの上に身に着けているパンツ（ズボン・ステテコ・パンテェイストッキング等）を脱がずに着脱できるパンツが無い。【０００４】健康な人や介護をされる人が用便時にパンツを足元や膝元まで下げずに済ますパンツが無い。【０００５】介護をされる人が家族や介護をする人の手を借りないで自分で着脱出来るパンツが無い。【０００６】失禁した時パンツの着脱に適当な場所が無いため外出が制限される。
【課題を解決するための手段】
【０００７】上述を解決するためパンツに股下部前後や腰部左右に開閉が出来その開閉は市販のファスナー・マジックテープ・ピン等を使用し簡単に着脱出来る“着脱らくらくパンツ”です。
【考案の効果】
【０００８】“着脱らくらくパンツ”使用者は自宅でトイレや寝ていても簡単に着脱ができる。【０００９】介護される人が“着脱らくらくパンツ”を履いていると家族や介護する人も着脱に手間が省け体力の消耗や時間の節約が図られる。【０００１０】“着脱らくらくパンツ”使用者は場所を選ばず着脱ができるので失禁後の臭いを気にせず行動範囲が広がり毎日が楽しく生活できる。
例えば旅行・趣味の集まり・親戚の集まり・お芝居・映画・登山・ドライブ・コンサート・ハイキング・長時間の会合に心配せず参加できる。
【図面の簡単な説明】
【０００１１】
【図１】  “着脱らくらくパンツ”  男性パンツ形
【図２】  “着脱らくらくパンツ”  女性パンツ形
【符号の説明】
【０００１２】［図１］
１〜“着脱らくらくパンツ”  男性パンツ形
２〜腰部左開閉個所
３〜腰部右開閉個所
４〜腰部左開閉個所
５〜腰部右開閉個所
６〜股下前部開閉個所
７〜股下後部開閉個所
［図２］
１〜“着脱らくらくパンツ”  女性パンツ形
２〜腰部左開閉個所
３〜腰部右開閉個所
４〜股下前部開閉個所
５〜股下後部開閉個所
【図１】
0003208729.tif 000003
【図２】
0003208729.tif 000004
【手続補正書】
【提出日】平成28年11月2日(2016.11.2)
【手続補正１】
【補正対象書類名】実用新案登録請求の範囲
【補正対象項目名】全文
【補正方法】変更
【補正の内容】
【実用新案登録請求の範囲】
【請求項１】
男性パンツ（失禁パンツ含む）は股下部前後開閉と腰部左右開閉を有している着脱らくらくパンツ。
【請求項２】
女性パンツ（失禁パンツ含む）は股下部前後開閉と腰部左右開閉を有している着脱らくらくパンツ。
【請求項３】
ジッパーを備え股下部前後開閉と腰部左右開閉を有している請求項１記載の着脱らくらくパンツ。
【請求項４】
面ファスナーを備え股下部前後開閉と腰部左右開閉を有している請求項１記載の着脱らくらくパンツ。
【請求項５】
ホックを備え股下部前後開閉と腰部左右開閉を有している請求項１記載の着脱らくらくパンツ。
【請求項６】
ジッパーを備え股下部前後開閉と腰部左右開閉を有している請求項２記載の着脱らくらくパンツ。
【請求項７】
面ファスナーを備え股下部前後開閉と腰部左右開閉を有している請求項２記載の着脱らくらくパンツ。
【請求項８】
ホックを備え股下部前後開閉と腰部左右開閉を有している請求項２記載の着脱らくらくパンツ。
(57)【要約】【課題】    本考案は、水田の基本構造を破壊することなく、必要最小限の範囲で土および土質改良土を用いて果樹栽培用の盛土培地を作るための組立式枠を提供するものである。【解決手段】  水田において、紙、繊維、樹脂又は金属からなる底部を開口し分割した円筒もしくは多角形の果樹栽培用の組立式枠１を作土層６上部に連結して設置し、土および土質改良土８を枠１内に投入し、そこに果樹９を植える。【選択図】図２
0003208752.tif 000002
【実用新案登録請求の範囲】
【請求項１】
水田において果樹を栽培する場合に設置する紙、繊維、樹脂又は金属からなる底部を開口した円筒もしくは多角形の組立式枠
【考案の詳細な説明】
【技術分野】
【０００１】  本考案は、水田において設置する紙、繊維、樹脂又は金属からなる果樹栽培用の組立式枠に関する。
【背景技術】
【０００２】  果樹栽培では、地中の排水性を良くし適度に土粒子に空隙を設けることで根を発達成長させる。収穫する実は、果実の水分を減らすことで食味である糖度を上げることから、土中の水切りを必要とする。【０００３】  水田は、水稲の栽培が基本であり、麦のほか、芋類・根菜といった野菜類が栽培され、１株当たりの大きさが果樹に比べて小さいことから、畝を作り排水溝を設けることで栽培が可能である。果樹栽培では、野菜栽培用の畝高では大きく根を張らせることは困難である。【０００４】  従来より、水田を畑に転用するには、不透水層である耕盤層を破壊し、盛土を行い、適正な縦浸透を確保することで可能になることが知られている。
【考案の概要】
【考案が解決しようとする課題】
【０００５】  水田すべての作土層・耕盤層の土質改良を行い盛土をすることは工事が大掛かりとなり多額の費用も発生するなどの欠点があった。また、畑にするために一度耕盤層を壊すと、新たに不透水層を作って水田に戻しても、田面水が浸透流出するなどの欠点があった。
【課題を解決するための手段】
【０００６】  本考案は、水田における果樹栽培において、水田作土層上部に底部を開口した円筒もしくは多角形の組立式枠を設置し、枠内に土および土質改良土を投入後、その改良土に果樹を植えるという必要最小面積での栽培構成を具現化し、これにより上記課題を解決するものである。
【考案の効果】
【０００７】  本考案に係る果樹栽培用組立式枠の中間すなわち田面水上部から水田作土層を地下水位層に見立て、枠内を栽培層とすることで最適な果樹栽培環境を作る。【０００８】  組立式の枠のため、大きい枠に取り換えることで果樹の成長に合わせた樹勢管理が可能である。【０００９】  水田の基本構造を変えないため、果樹を栽培枠ごと移設撤去すれば元の水田環境に戻すことができる。
【図面の簡単な説明】
【００１０】
【図１】本考案に係る果樹栽培用組立式枠の組立の工程図である。
【図２】本考案に係る果樹栽培用組立式枠を設置後の正面図である。
【考案を実施するための形態】
【００１１】    図１に示すように分割した円筒形もしくは多角形の果樹栽培用組立式枠１は枠固定用ボルト３を固定用穴２に通し、枠固定用ナット４を締め付けて連結する。
【００１２】  図２に示すように水田の作土層６上部に固定した果樹栽培用組立式枠１を設置する。耕盤層５は不透水層であり、田面水７が浸透しにくい。設置した果樹栽培用組立式枠１内に土および土質改良土８を投入し、盛土培地を構成する。果樹９を土および土質改良土８に植える。
【符号の説明】
【００１３】１．    果樹栽培用組立式枠
２．    固定用穴
３．    枠固定用ボルト
４．    枠固定用ナット
５．    水田の不透水層である耕盤層
６．    水田の作土層
７．    水田の田面水
８．    土および土質改良土
９．    果樹
【図１】
0003208752.tif 000003
【図２】
0003208752.tif 000004
(57)【要約】      （修正有）【課題】通常の印刷や写真で表現できない金属の質感を再現したフォトパネルであり、高い意匠性を実現する金属製パネルを提供する。【解決手段】金属製パネル１は、写真データを元にＵＶインクジェットプリンターを介してダイレクトプリントされた金属板１０とその金属板が組み込まれたフレーム２とからなる。このようにすることで、光の反射によって表情が変わる金属の質感を再現し、一般的な写真データから金属的な美しさを伴った高い意匠性を再現したフォトパネルを制作する。【選択図】図２
0003208712.tif 000002
【実用新案登録請求の範囲】
【請求項１】
写真データを元にＵＶインクジェットプリンターを介してダイレクトプリントされた金属板とその金属板が組み込まれたフレームとからなる金属製パネル
【考案の詳細な説明】
【技術分野】
【０００１】  本考案は金属へのダイレクトプリントによるパネルである
【背景技術】
【０００２】  紙への印刷や写真においては金属の質感や反射を再現することは難しく、高い装飾性を確保することができなかった
【考案の概要】
【考案が解決しようとする課題】
【０００３】  例えば自動車のように金属的な美しさ、質感は印刷や写真で再現することができず、写真データから金属的な美しさを伴った高い意匠性を持ったパネルの制作はできなかった
【課題を解決するための手段】
【０００４】  ＵＶインクジェットプリンターを用いて金属に対しダイレクトプリントをすることで、光の反射によって表情が変わる金属の質感を再現し、一般的な写真データから金属的な美しさを伴った高い装飾性を再現したパネルを制作する。
【考案の効果】
【０００５】  一般的な写真データから光の反射によって表情が変わる金属の質感を再現し、金属的な美しさを伴った高い意匠性を再現したフォトパネルの制作が可能になった。
【図面の簡単な説明】
【０００６】
【図１】本考案の金属製フォトパネルの正面図である
【図２】本考案の金属製フォトパネル側面よりの断面図である
【図３】本考案の金属製フォトパネル制作工程図である
【考案を実施するための形態】
【０００７】ユーザーより預かったデジタル画像を元に金属パネルダイレクト印刷に適した画像処理を行った上でＵＶインクジェットプリンターを用い、金属板へダイレクトプリントを行った後、保護材になるアクリルパネル、背面になる台紙とともにフレームに納める。
【実施例】
【０００８】以下添付図面に従って一実施例を説明する。１０は金属板（ステンレス）、１０ａは印刷面、ＵＶインクジェットプリンターによる金属板表面へのダイレクトプリントを想定。３は透明のアクリルパネル、金属板表面の保護。４は紙製の台紙、裏面の装飾及び保護。２はフレーム、１０金属板、３透明アクリルパネル、４紙製台紙をくわえ込む形で納め板バネ等にて固定。セットされた状態を１金属パネルとする。
【産業上の利用可能性】
【０００９】本考案の一実施例は上記の如き構成からなるものである。金属パネルの種類、フォトフレーム、台紙素材の変更及び表面保護用のアクリルパネル素材は意匠の必要に応じて変更するものとする。
【符号の説明】
【００１０】１  金属パネル
２  フレーム
３  透明アクリルパネル（表面保護）
４  紙製台紙
１０  金属板
１０ａ  印刷面（ＵＶインクジェットプリント）
【図１】
0003208712.tif 000003
【図２】
0003208712.tif 000004
【図３】
0003208712.tif 000005
(57)【要約】      （修正有）【課題】増水、減水時にも滑らかに動く発電用の水車を提供する。【解決手段】発電機１が水車５の羽根２から離間するように、ギア１を斜めに設置する。【選択図】図１
0003208732.tif 000002
【実用新案登録請求の範囲】
【請求項１】
ギアと発電機を斜めに設置した水車。
【考案の詳細な説明】
【考案の概要】
【考案が解決しようとする課題】
【０００１】  水車が滑らかに回転する。【０００２】  発電機を上部に設置する。
【考案の効果】
【０００３】  河川で増水、減水したときでも水車を回転する事ができる。
【考案を実施するための形態】
【０００４】  以下、本案の実施について説明する、図１にもとずいてギア（１）を斜めに取り付ける事により、発電機を上部に設置する事ができる，又ギア（２）の厚みを薄くすることで滑らかに回転する。
【図面の簡単な説明】
【０００５】
【図１】  水車の正面図
【符号の説明】
【０００６】１  発電機    ２  羽根    ３  ギア（１）    ４  ギア（２）    ５  水車
【図１】
0003208732.tif 000003
【手続補正書】
【提出日】平成28年11月9日(2016.11.9)
【手続補正１】
【補正対象書類名】実用新案登録請求の範囲
【補正対象項目名】全文
【補正方法】変更
【補正の内容】
【実用新案登録請求の範囲】
【請求項１】
発電機が羽根から離間するように、ギヤと発電機を斜めに設置した水車。
(57)【要約】      （修正有）【課題】義歯の維持装置である金属クラスプを無くし審美面を回復させ維持歯への負担を軽減し、縁の封鎖により義歯と歯牙、歯肉間に食砕を入りにくくした義歯を提供する。【解決手段】透明ポリエチレンテレフタラート１の端８を窪ませて、維持歯を囲むようにはめ入れる。歯肉部分に当たる縁５を１ｍｍほど盛り上げて歯肉部を圧迫封鎖する。【選択図】図１
0003208731.tif 000002
【実用新案登録請求の範囲】
【請求項１】
透明ポリエチレンテレフタラートを使用して義歯を作り審美面を回復する。
【請求項２】
維持歯と歯肉部を透明ポリエチレンテレフタラートで封鎖し、義歯内に食砕が入るのを防ぐ。
【考案の詳細な説明】
【考案の詳細な説明】
【技術分野】
【０００１】本発明は義歯の維持に金属を使用せず、歯を透明ポリエチレンテレフタラートで囲み一部を歯の窪みに入れて義歯を維持する。
【背景技術】
【０００２】金属を用いるクラスプ方式は歯にかなりの負荷がかかる。
食砕が義歯と歯牙、歯肉間に入りやすい。
【考案が解決しようとする課題】
【０００３】歯への負担を軽減し審美面においても金属が見えず義歯だとわかりにくい。
食砕が義歯と歯牙、歯肉間に入りにくい。
【課題を解決するための手段】
【０００４】透明ポリエチレンテレフタラートを使用し維持歯となる歯を囲み、義歯を固定しさらに義歯を固定する補助になる窪みがあればポリエチレンテレフタラートを窪みに入れて義歯の固定を安定させる。
【考案を実施するための形態】
【０００５】以下、本考案の実施の形態について説明する。
（イ）維持歯▲３▼を透明ポリエチレンテレフタラート▲１▼で囲む。
（ロ）維持歯▲３▼に窪み▲７▼があればポリエチレンテレフタラート▲１▼を窪み▲７▼に入れる。
（ハ）石膏模型▲６▼に深さ１ｍｍ巾２ｍｍの溝を掘り義歯の縁を圧迫封鎖▲５▼する。
【考案の効果】
【０００６】義歯床に弾力があり丈夫。
透明で金属体が無いので審美面において自然に近く見える。
維持歯への負担が少ない。
金属アレルギーがない。
【図面の簡単な説明】
【図１】本考案の咬合面側から見た図
【図２】本考案の側面から見た図
【図３】本考案の口腔内模型の側面図
【符号の説明】１  ポリエチレンテレフタラート
２  人工歯
３  維持歯
４  歯肉部
５  圧迫封鎖
６  石膏模型
７  義歯を維持させる窪み
８  窪みに入れる
【図１】
0003208731.tif 000003
【図２】
0003208731.tif 000004
【図３】
0003208731.tif 000005
【手続補正書】
【提出日】平成28年11月11日(2016.11.11)
【手続補正１】
【補正対象書類名】実用新案登録請求の範囲
【補正対象項目名】全文
【補正方法】変更
【補正の内容】
【実用新案登録請求の範囲】
【請求項１】
透明ポリエチレンテレフタラートを使用した部材で周囲を覆った義歯。
【請求項２】
維持歯と歯肉部を透明ポリエチレンテレフタラートで封鎖し、義歯内に食砕が入るのを防ぐようにした。請求項１に記載の義歯。
(57)【要約】      （修正有）【課題】ずれるのを防止した裏地を用いた敷きパッドを提供する。【解決手段】表地と裏地１１とを備え、裏地１１は滑り止め部１２を有することを特徴とする。【選択図】図１
0003208574.tif 000002
【実用新案登録請求の範囲】
【請求項１】
表地と裏地とを備え、
前記裏地は滑り止め部を有することを特徴とする敷きパッド。
【請求項２】
前記滑り止め部はエンボス加工により形成された凹凸部であることを特徴とする請求項１記載の敷きパッド。
【請求項３】
前記裏地は化学繊維，綿，化学繊維と綿の混紡のいずれかであることを特徴とする請求項１又は２記載の敷きパッド。
【考案の詳細な説明】
【技術分野】
【０００１】
本考案は、ベッドや布団の上に重ねて使用する敷きパッドに関する。
【背景技術】
【０００２】
敷きパッドは、ベッドのマットレス，敷きマット，布団の上に敷き使用する寝具であり、直接肌触りに影響を与える。
夏季には汗が乾きやすいもの、吸収性のあるもの、冬季は保温性のあるもの等、調整して使用される。
敷きパッドは、一般的にマットレスや布団の上にシーツを敷き、その上に重ねるように敷いて用いられる。
このようなシーツは滑りやすいものが多く、敷きパッドがずれるという課題があった。
【０００３】
特許文献１には、マットレスの上に敷くシーツが滑るのを抑えるべく、マットの上に凸部を形成する技術を開示するが、上側のシーツが滑るのを防止するのが目的であり、本考案がシーツ等の上に敷く、敷きパッドの滑り止めを目的とするのと相違する。
【先行技術文献】
【特許文献】
【０００４】
【特許文献１】特許第３６０７８９１号公報
【考案の開示】
【考案が解決しようとする課題】
【０００５】
本考案は、ずれるのを防止した裏地を用いた敷きパッドの提供を目的とする。
【課題を解決するための手段】
【０００６】
本考案に係る敷きパッドは、表地と裏地とを備え、前記裏地は滑り止め部を有することを特徴とする。
なお、表地と裏地との間には、必要に応じて中綿等が用いられることがあるが、本考案はこれらを含む。
ここで滑り止め部は、裏地に滑り止め部材を取り付けたり、貼り付けたりしてもよいが、使用者が心地よい肌触りを感じるには、滑り止め部はエンボス加工により形成された凹凸部であるのが好ましい。
裏地（裏生地）には、綿，ポリエステル等の化学繊維あるいは、それらの混紡が用いられる。
化学繊維の方が綿やそれらの混紡よりも安価であるが、綿等に比較して滑りやすくなる。
よって本考案は、裏地に綿，綿と化学繊維との混紡を用いてもよいことは言うまでもないが、それらよりも滑りやすい化学繊維にエンボス加工すると、安価で滑りにくくなる。
本考案において表地は、使用者が直接肌触りを感じる部分であり、吸収性，保温性等、使用目的に応じて採用される。
【考案の効果】
【０００７】
本考案は、敷きパッドの裏地に滑り止め部を形成したので、使用者が寝返り等を打った場合にも敷きパッドがずれにくく、特に子供や幼児は就寝中であっても体を大きく動かす。
また、乳児等は敷きパッドの上で遊ぶ等、その運動量も多い。
本考案に係る敷きパッドは、このような用途にも滑り止め効果が大きい。
【図面の簡単な説明】
【０００８】
【図１】本考案に係る敷きパッドの裏地構造を示す。
【図２】敷きパッドの部分拡大図を示す。
【図３】従来の敷きパッドの裏地を示す。
【考案を実施するための最良の形態】
【０００９】
従来の敷きパッドも図３に裏面側を示すように、表地と裏地とを糸１５にて縫い合わせてあるが、裏地（裏生地）にはエンボス加工が施されていない。
これに対して本考案に係る敷きパッドは、次のような構造になっている。
図示を省略した表地と、裏地１３を重ね合せ、糸１５にてジグザグ状に縫い合せ、周囲を淵取り布１４にて縫製してある。
４つのコーナー部はゴム紐１３を取り付けてある。
本考案は、この裏地１１に裏面全体にわたって滑り止め部１２としての突部が均一に現れるようにエンボス加工を施してある点に特徴がある。
このエンボス形状は、特に制限はない。
本実施例のように、突部を均一に形成した他に帯状の凹凸を形成する等、各種のエンボス加工形状を採用することができる。
これにより、一般的に滑りやすいシーツの上に敷きパッドを敷いてもずれにくくなる。
【符号の説明】
【００１０】
１０      敷きパッド
１１      裏地（裏生地）
１２      滑り止め部（エンボス加工）
【図１】
0003208574.tif 000003
【図２】
0003208574.tif 000004
【図３】
0003208574.tif 000005
(57)【要約】【課題】刃を取り替えることが出来、又、刃を折ることにより常に鋭い切れ味を保つことが出来るカッターナイフにおいて、刃が鋭いため、切るべき被覆材のみならず、残すべき内側の被覆材や電線を簡単に傷つけてしまう危険性、及び、刃の厚さが薄くて折れ易いため、誤って手を切る危険性を克服する。【解決手段】カッターナイフの刃の収納部であるスリーブの先端付近に、幅１０ｍｍ程度で、ブレードの刃部が１ｍｍ乃至２ｍｍ露出するように切込みを設ける。【選択図】図１
0003208503.tif 000002
【実用新案登録請求の範囲】
【請求項１】
ブレードの刃部が１ｍｍ乃至２ｍｍ露出するようにスリーブの先端付近に幅１０ｍｍ程度の切込みを設けたカッターナイフ
【請求項２】
請求項１において、深さの違う切込みを複数設けたカッターナイフ
【考案の詳細な説明】
【技術分野】
【０００１】
本考案は、電線を被覆している被覆材などを加工するための刃物工具に関するものである。
【背景技術】
【０００２】
従来、刃を取り替えることが出来、又、刃を折ることにより常に鋭い切れ味を保つことが出来るカッターナイフは、刃が鋭いため、切るべき被覆材のみならず、残すべき内側の被覆材や電線を簡単に傷つけてしまう危険性があり、尚且つ、刃の厚さが薄くて折れ易いため、誤って手を切る危険性も指摘され、電気工事士試験においては、電工用として向いていないとしてカッターナイフの使用は自粛するようにとされてきた。
【０００３】
そのため、電工用ナイフとして肥後守様の小刀が使われてきたが、これらは切れ味が鈍ると自分で研がなければならない。このように切れ味が一定しないため力の加減が難しく、又、女性等非力な者には使いにくい欠点があった。
【０００４】
このことを解消するために、下記等様々な電線の被覆剥離器具が考案されている。
【先行技術文献】
【特許文献】
【０００５】
【特許文献１】特開２０１２−０５０１７５
【非特許文献】
【０００６】
【非特許文献１】実開平０６−０１３３１９
【考案の概要】
【考案が解決しようとする課題】
【０００７】
しかしながら、先行技術はいずれも、構造が複雑で、且つ大掛かりであり、気軽に使用するには難がある。
【０００８】
そのため、やむを得ず従来の電工ナイフを使用しているが、何とかしてカッターナイフを使うことが出来ないか、との声が多数上がっている。
【課題を解決するための手段】
【０００９】
そこで、本考案は、刃を取り替えられ、又刃を折ることによって常に鋭い切れ味を保つカッターナイフの利点を生かし、且つ又その欠点を克服するため、カッターナイフの刃の収納部であるスリーブの先端付近に、幅１０ｍｍ程度で、ブレードの刃部が１ｍｍ乃至２ｍｍ露出するように切込みを設ける。
【考案の効果】
【００１０】
本考案においては、切れ過ぎるおそれがなくなり、力を加減する必要性がなくなる。
【００１１】
小さな力での切込みが可能となる。
【００１２】
ブレードは、大部分がその収納部であるスリーブに収納されたまま使用されるため、誤って折れる危険性はない。
【００１３】
切れ味が悪くなれば、ブレードを折り、又はブレードを取り替えることで鋭い切れ味を保つカッターの利点を最大限生かすことが出来る。
【図面の簡単な説明】
【００１４】
【図１】図１は、請求項１におけるカッターの先端付近の図である。
【図２】図２は、請求項２において、切込みを２箇所設けたカッターの先端付近の図である。
【考案を実施するための形態】
【００１５】
カッターナイフの刃の収納部であるスリーブの先端付近に、幅１０ｍｍ程度で、ブレードの刃部が１ｍｍ乃至２ｍｍ露出するように切込みを設ける。
【実施例１】
【００１６】
図１は、刃の収納部であるスリーブの先端付近に、ブレードの刃部が１ｍｍ程度露出するように切込みを設けたカッターナイフの先端付近の図である。
【実施例２】
【００１７】
図２は、刃の収納部であるスリーブの先端付近に、ブレードの刃部が１ｍｍ程度露出、並びに１．５ｍｍ程度露出するように切込みを２箇所設けたカッターナイフの先端付近の図である。
【符号の説明】
【００１８】
１    刃部
２    ブレード
３    折り刃溝
４    スリーブ
５    グリップ
【図１】
0003208503.tif 000003
【図２】
0003208503.tif 000004